(57)【特許請求の範囲】
【請求項１】
少なくとも２層の発泡体層よりなるマットレスであって、
第１の発泡体層の上表面に、複数の突部が連続的に形成され、かつ、マットレスの幅方向に伸びる少なくとも１本の線に沿って、相互に隣接し、断面形状が波形をなす複数の突条部が形成され、これら複数の突条部間にはマットレスの幅方向に連続する溝が形成され、
第２の発泡体層の上表面に、前記１本の線と同方向に伸びる複数の突条部が形成され、かつ、この突条部間に形成される溝のうちの少なくとも１本が前記第１の発泡体層の複数の突条部間の溝と重なり合うように構成され、
この第１の発泡体層の複数の突条部間の溝と第２の発泡体層の溝とが重なり合った線に沿ってマットレスが屈曲可能なようになされた
ことを特徴とするマットレス。
【請求項２】
前記第２の発泡体層の下表面に、前記上表面の突条部と上下対称に突条部が形成された
ことを特徴とする、請求項１に記載のマットレス。
【請求項３】
前記第１の発泡体層の複数の突部のうち、マットレスに仰臥する人体の腰部に当接する部分の突部が、頭部及び脚部にそれぞれ当接する部分の突部より、大きい横断面積を有する
ことを特徴とする、請求項１又は２に記載のマットレス。
【請求項４】
前記第２の発泡体層の下に、シート状の第３層をさらに有する
ことを特徴とする、請求項１〜３のいずれか１項に記載のマットレス。
【発明の詳細な説明】
【０００１】
【発明の属する技術分野】
本発明はベッド用のマットレスに関する。
【０００２】
【従来の技術と発明が解決しようとする課題】
高齢化社会の到来とともに、いわゆるリクライニングベッドの需要が高まっている。リクライニングベッドとは、ベッドが手動又は電動で屈曲し、立ち上がった部分が、ベッド上で起き上がった使用者の背もたれになるようになされたものである。
【０００３】
このようなリクライニングベッドに使用されるマットレスでは、通常のマットレスに要求される一般的特性を備えることに加えて、屈曲をスムーズに行えることが重要である。
【０００４】
通常のマットレスに要求される一般的特性とは、適度な柔らかさをもち身体の受ける圧力をうまく分散すること、適度な硬さをもち仰臥姿勢を正しく保つこと、通気性がよいこと等である。これらの特徴は、寝心地の良さを左右するのみならず、使用者の健康状態に大きな影響を与え、特に長期間寝たきりの使用者の褥瘡を防止する上で極めて重要である。
【０００５】
しかし、これらの一見矛盾するような要求を同時に満たそうとすれば、マットレスの構造も複雑にならざるをえず、そのため、厚さもある程度厚いものとなる。ところが、このような厚いマットレスは一般に屈曲が困難であり、屈曲させるためには、立ち上がり部を別体に構成したり、表面に楔形の切り込みを設けたりすることが考えられる。しかし、前者においては、マットレスがベッド枠体上を摺動することになってスムーズな屈曲は困難であり、マットレスに摩耗が生じるおそれもある。また後者では、切り込みには、ある程度の幅と深さが必要であるが、このような大きな切り込みを表面に設けた場合、マットレスを伸ばした状態で使用する際に、切り込み近傍の荷重支持力が低下して身体の沈みこみを生じたり、屈曲時に指や衣服が挟まれるたりするおそれがあり、問題が多い。
【０００６】
本発明は上記に鑑みてなされたものであり、身体の受ける圧力がうまく分散され、通気性がよい等の、通常のマットレスに要求される諸性能を備え、かつリクライニングベッドで使用した際に屈曲がスムーズに行えるマットレスを提供することを目的とする。
【０００７】
また仰臥時に背骨が自然な形状に保持され、安定感の感じられるマットレスを提供することを目的とする。
【０００８】
【課題を解決するための手段】
本願の請求項１に記載のマットレスは、上記の課題を解決するために、少なくとも２層の発泡体層よりなるマットレスであって、第１の発泡体層の上表面に、複数の突部が連続的に形成され、かつ、マットレスの幅方向に伸びる少なくとも１本の線に沿って、相互に隣接し、断面形状が波形をなす複数の突条部が形成され、これら複数の突条部間にはマットレスの幅方向に連続する溝が形成され、第２の発泡体層の上表面に、前記１本の線と同方向に伸びる複数の突条部が形成され、かつ、この突条部間に形成される溝のうちの少なくとも１本が前記第１の発泡体層の複数の突条部間の溝と重なり合うように構成され、この第１の発泡体層の複数の突条部間の溝と第２の発泡体層の溝とが重なり合った線に沿ってマットレスが屈曲可能なようになされたものとする。
【０００９】
請求項１のマットレスは、第２の発泡体層の下表面に、上表面の突条部と上下対称に突条部が形成されたものとするのが好ましい（請求項２）。
【００１０】
第１の発泡体層の複数の突部のうち、マットレスに仰臥する人体の背部に当接する部分の突部が、頭部及び脚部にそれぞれ当接する部分の突部より、大きい横断面積を有することが好ましい（請求項３）。
【００１１】
第２の発泡体層の下には、シート状の第３層をさらに設けることができる（請求項４）。
【００１２】
【発明の実施の形態】
本発明のマットレスは、上記したように少なくとも２層又は３層の発泡体層からなる。これらの各層及びマットレス全体の構成及びその作用効果について、以下に述べる。
【００１３】
（１）第１の発泡体層
第１の発泡体層（以下、第１層ともいう）は、最上部に位置し、使用者の身体に接する層である。第１層は、上表面に連続的に形成される複数の突部により、良好な圧力分散性及び通気性が得られるように構成される。
【００１４】
突部の形状は特に限定されないが、平面形状及び横断面形状が四角形（長方形又は正方形）のものが、製造が容易という点で好ましい。
【００１５】
そして、突条部の形状も特に限定されるものではないが、屈曲性、耐久性が良好となるように構成し、例えば断面形状を略波形とするのが好ましい。突条部は、１列でもよいが、複数列並べて設けてもよい。
【００１６】
これらの突部及び突条部を有する第１層は、矩形の発泡体から長手方向及び幅方向に不要部分を切除する（溝を形成する）ことにより得られる。
【００１７】
なお、マットレスの長手方向中央部分（マットレスに仰臥する人体の腰部に当接する部分）における突部は、その横断面積がマットレスの長手方向両端部寄りの部分（頭部及び脚部に当接する部分）における突部の横断面積よりも大きくなるよう構成することが好ましい。突部の大きさをこのように構成することにより、使用者の身体の過剰な沈み込みを防止して、背骨を自然な形状に保持することが可能となる。
【００１８】
また、マットレス周縁部を構成する各突部も、長期間の使用によるへたりや倒れ込みを防ぐために、その横断面積を比較的大きくすることが好ましい。
【００１９】
（２）第２の発泡体層
第２の発泡体層（以下、第２層ともいう）の突条部は、少なくとも上表面に設けられ、好ましくは上表面の突条部と上下対称形をなすように下表面にも設けられる。
【００２０】
これら突条部の形状も特に限定されないが、良好な屈曲性と荷重支持性を得るために、断面形状が略四角形（台形又は丸みを帯びた台形を含む）であるのが好ましい。
【００２１】
これらの突条部は、マットレスの良好な屈曲性を得るために、隣り合う突条部間に形成される溝が、上記第１層の突条部と重なり合うように配置されることが必要である。
【００２２】
また、より一層の通気性と支持力のメリハリを得るために、各突条部の中心部（溝と溝との間）に、マットレスの幅方向に貫通する空洞部を設けることもできる。すなわち、マットレスの長手方向両端部寄りの部分においてこのような空洞部を形成し、マットレス中央部においては、空洞部を設けないか、あるいは設けるとしても小さくすることにより、腰部支持力をより強調することができる。
【００２３】
上記した構成を有する第２層は、矩形の発泡体から不要部分を切除する（マットレスの幅方向に溝及び空洞部を形成する）ことにより得られる。
【００２４】
（３）第３の発泡体層
第３の発泡体層（以下、第３層ともいう）は、必要に応じて設けられる。例えば、第２層の下表面に突条部を設けた場合、突条部がむき出しになっていると、取り扱いのし易さと耐久性の面で劣る傾向があるので、シート状の第３層を設けることによりこれを解消することができる。
【００２５】
第３層は、上記目的のためには、表面平滑なシート状物であるのが好ましく、また、屈曲がスムーズに行えるように比較的薄く構成するのが好ましい。
【００２６】
なお、第３層は上記第２層と別々に形成した後、第２層と接着してもよいが、接着工程を省略するために、１枚の発泡体から不要部を切除することにより、第２層と第３層とが一体になったものを形成することもできる。
【００２７】
（４）各層の素材
上記各層の素材としては、寝具用あるいはソファー等の家具用として従来より使用されている種々の発泡ポリウレタンが使用可能であるが、その中でも、通気性及び耐久性に優れ、屈曲し易い素材が好ましい。
【００２８】
物性的には、反ぱつ弾性率は約２０〜７０％であることが好ましく、密度は約３０〜８０ｋｇ／ｍ３が好ましく、硬さは約１００〜１５０Ｎが好ましい。
【００２９】
好ましい素材の一つとして、コールドフォームが挙げられる。コールドフォームは、従来の発泡ポリウレタンとは異なり常温で発泡硬化させたもので、従来の発泡ポリウレタンと比較して、高弾性、軽量性、通気性等に優れる等の特徴を有する。
【００３０】
なお、各層の素材は全て同じでもよく、一層のみ、あるいは全層異なるものにしてもよい。また、一層のみ異なるものにする場合、その層は第１層から第３層のいずれの層でもよい。
【００３１】
（５）寸法
上記した本発明のマットレスの各部の寸法は特に限定されないが、標準的な例を挙げれば以下の通りである。
【００３２】
マットレス全体の平面形状及び幅方向と長さ方向の寸法としては、従来のベッド用マットレスと同様、幅８００〜１４５０ｍｍ程度（標準的には、シングル１０００ｍｍ、セミダブル１２００ｍｍ、ダブル１４００ｍｍ）、長さ１９００〜２１００ｍｍ程度の長方形とする。
【００３３】
マットレス全体の厚さは、通常は約１００〜２００ｍｍ程度とする。第１層の厚さは３０〜５０ｍｍ、第２層の厚さは５０〜１００ｍｍ、第３層の厚さは１５〜３０ｍｍ程度がそれぞれ好ましい。
【００３４】
第１層の突部は、例えば平面形状及び断面形状が四角形の場合、一辺の長さが２０〜１００ｍｍ程度であり、突部の高さ、すなわち突部間の溝の深さは１５〜５０ｍｍ程度である。
【００３５】
また、突部の隙間の寸法は、突部の大きさ（太さ）にもよるが、通常は５〜３０ｍｍ程度である。隙間の寸法が大きすぎると突部が安定せず、一方、小さすぎると通気性が悪くなるおそれがある。
【００３６】
第１層の突条部は、断面形状が波形の場合、その幅は最大部分で１５〜３０ｍｍ程度であり、突部の高さ、すなわち突部間の溝の深さは１５〜３０ｍｍ程度である。
【００３７】
第２層の突条部は、断面形状が四角形又は略台形の場合、上辺が６０〜１５０ｍｍ程度であり、下辺が６０〜１５０ｍｍ程度である。突条部の高さ、すなわち突条部間の溝の深さは１５〜３０ｍｍ程度である。また、空洞部を設ける場合、その幅は１０〜８０ｍｍ、高さは１０〜３０ｍｍ程度である。
【００３８】
（６）作用・効果
本発明のマットレスは、上記第１層〜第３層が順に積層されたものであり、第１層の突部の形状と、第２層の形状の組合せにより、圧力分散性、通気性、腰部支持性等の諸特性に優れたものとなる。従って寝心地がよいのみならず、使用者の健康増進に寄与し、長期間寝たきりの使用者の褥瘡も防止できる。
【００３９】
また、第１層の突条部と第２層の突条部間の溝とを重ね合わせた構成により、その部分で極めて屈曲しやすく、リクライニングベッドでの使用に適したものとなっている。しかし、リクライニング機能を有しない通常のベッドでも高機能性マットレスとして好適に使用できるのはもちろんである。
【００４０】
さらに、リクライニングベッドでも、単なる上半身の起き上がりの動作のみならず、左右の側部で高さの異なる、「ひねり」の動作も可能にしたベッドが開発されつつあるが、本発明のマットレスは、そのようなベッドの動きにもうまく追従することができる。
【００４１】
【実施例】
以下、実施例により本発明をさらに具体的に説明するが、本発明はこれに限定されるものではない。
【００４２】
図１〜５は、この発明の一実施例にかかるマットレスを示す。
【００４３】
これらの図においては、マットレスの全体を符号Ａで示している。
【００４４】
マットレスＡ全体の寸法は、幅が約１２００ｍｍ、長さが約２０００ｍｍ、厚さが約１４５ｍｍである。
【００４５】
マットレスＡは、第１層１０、第２層２０、第３層３０よりなり、図２に示すＩ−Ｉ線、及びＩＩ−ＩＩ線に対してそれぞれ対称形をなす。
【００４６】
第１層１０は、基板１１とその上に立設された複数の突部１２及び突条部１３よりなる。符号１２は突部全般を示し、以下に記載する形状の異なる種々の突部については、１２ａ，１２ｂ……などの符号によりそれぞれ区別して示す。また、符号１３は突条部全般を示し、形状の異なるものを、１３ａ，１３ｂの符号により区別して示すものとする。
【００４７】
マットレスＡの突部１２ａ，１２ｂ，１２ｃ，１２ｄ，１２ｅ，１２ｆ，１２ｇ，１２ｈは、いずれも平面形状が四角形（長方形）をなしており、その具体的な形状及び寸法は以下に記載する通りである。なお、以下において単に「長手方向」及び「幅方向」と言ったときは、マットレスの長手方向及び幅方向をそれぞれ表すものとする。
【００４８】
人体の中央部（背部から腰部にかけて）に当接する部分の突部１２ａは、平面形状が、長手方向６５ｍｍ、幅方向６０ｍｍの長方形で、縦断面形状は長手方向において台形であり（図３参照）、幅方向において長方形である（図４参照）。突部１２ａは、長手方向には、２箇所の突条部をはさんで、２個、４個、２個の順で形成され、幅方向には１５個連続して形成されている。
【００４９】
人体の頭部と脚部にそれぞれ当接する部分の突部１２ｂは、平面形状が、長手方向３３ｍｍ、幅方向６０ｍｍの長方形であり、縦断面形状は、長手方向、幅方向共に長方形である。突部１２ｂは、頭部当接部及び脚部当接部のそれぞれにおいて、長手方向に９個、幅方向に１５個連続して形成されている。
【００５０】
上記のように、マットレス中央部の突部１２ａは、突部１２ｂより、横断面積が大きく、従って荷重支持力が大きく、背骨を自然な形状に保持できるものとなっている。
【００５１】
突部１２ｂのマットレス端部側に隣接する突部１２ｃは、平面形状が、長手方向１００ｍｍ、幅方向６０ｍｍの長方形であり、縦断面形状は、長手方向、幅方向共に長方形である。突部１２ｃは、頭部側及び脚部側のそれぞれにおいて、幅方向に１列、１５個連続して形成されている。
【００５２】
次に、マットレス周縁部の突部１２ｄ，１２ｅ，１２ｆ，１２ｇ，１２ｈについて述べる。
【００５３】
まず、マットレスの長手方向（頭部側及び脚部側）端部をそれぞれ構成する突部１２ｄは、平面形状が、長手方向１０８ｍｍ、幅方向６０ｍｍの長方形であり、縦断面形状は、長手方向、幅方向共に長方形である。突部１２ｄは、幅方向に１列、１５個連続して形成されている。
【００５４】
マットレスの側方端部においては、突部１２ｅ，１２ｆ，１２ｇ，１２ｈが、突部１２ａ，１２ｂ，１２ｃ，１２ｄにそれぞれ隣接して形成されている。これらの突部１２ｅ，１２ｆ，１２ｇ，１２ｈは、平面形状における幅方向の長さが１０８ｍｍである以外は、突部１２ａ，１２ｂ，１２ｃ，１２ｄとそれぞれ同形状、同寸法である。
【００５５】
これら周縁部の突部１２ｄ，１２ｅ，１２ｆ，１２ｇ，１２ｈは、外側に倒れにくいように、横断面積が比較的大きく構成されている。
【００５６】
次に突条部１３について述べる。
【００５７】
上記突条部１３は同形状のものが２本並んでおり、両者を合わせた断面形状は連続した波形をなしている。
【００５８】
突条部１３ａは、断面形状がほぼ波形で、幅（図５に示された寸法ｓ）が２５ｍｍ、マットレスの幅方向の長さが６０ｍｍである。突条部１３ｂは、断面形状が同形状、同寸法で幅方向の長さが１００ｍｍである。
【００５９】
上記突部１２及び突条部１３の高さは、いずれも２５ｍｍである。
【００６０】
上記突部１２及び突条部１３は、マットレスＡの長手方向および幅方向において直線上に整列しているので、この第１層１０は、基板１１の厚みと突部１２の厚みの和（ここでは５０ｍｍ）を厚みとして有する矩形の発泡体から、隣接する突部及び突条部間の不要部を切除して、溝（空所）を形成することにより得られる。
【００６１】
溝の断面形状は、長手方向の溝は幅６ｍｍ、高さ２５ｍｍの矩形であり、幅方向の溝は、突部１２ａ間及び突部１２ａと突部１２ｂ間の溝が上部の幅２０ｍｍの略楔形、突条部１３間及び突条部１３と突部１２ａ間の溝が上部の幅２５ｍｍの略楔形、それ以外の突部１２間は全て幅１０ｍｍ、高さ２５ｍｍの矩形である。
【００６２】
第２の発泡体層（第２層）２０は、上下の面に、マットレスの幅方向に伸びる複数の突条部２１，２２が、それぞれ連続的に形成された構造を有する。突条部２１は上面に、突条部２２は下面に形成され、両者は、第２層２０の厚み方向の中心に対し、対称形である。なお、符号２１及び２２は、以下に記載する幅の異なる突条部２１ａ，２１ｂ及び２２ａ，２２ｂをそれぞれ総括して示すものとする。
【００６３】
突条部２１ａ，２２ａは、断面略四角形で、その幅は最大部分で約８０ｍｍである。突条部２１ａ，２２ａは、マットレス中央部にそれぞれ１３列設けられている。突条部間の溝幅（図５のｔ）は２５ｍｍである。
【００６４】
突条部２１ｂ，２２ｂも、断面略四角形で、その幅は最大部分で約１２０ｍｍである。突条部２１ｂ，２２ｂは、マットレスの頭部側及び脚部側端部にそれぞれ３列設けられている。
【００６５】
上記各突条部２１は、図５に示すように、隣り合う突条部間に形成される溝のうちの少なくとも１本が第１層の突条部１３と重なり合うように配置される。
【００６６】
マットレスの長手方向両端寄りの部分（頭部及び脚部に当接する部分）においては、各突条部の中心部、すなわち溝と溝の間には、マットレスの幅方向に貫通する空洞部２３が設けられている。なお、符号２３は、以下に記載する幅の異なる空洞部２３ａ，２３ｂを総括して示すものとする。
【００６７】
空洞部２３ａは、頭部側及び脚部側端部寄りの３列の突条部２１ａ，２２ａの内部に形成され、断面形状は、幅２７ｍｍ、高さ１５ｍｍの長円形である。
【００６８】
空洞部２３ｂは、突条部２１ｂ，２２ｂの内部に形成され、断面形状は、幅５０ｍｍ、高さ１５ｍｍの長円形である。
【００６９】
これらの突条部２１，２２は、矩形の発泡体（ここでは厚さ８０ｍｍ）から、隣接する突条部間の不要部を切除して、溝を形成すると共に空洞部を切除することにより形成できる。空洞部の切除は、発泡体の表面から切り込み線２４を経て行うことができる。
【００７０】
上記第１層１０及び第２層２０に使用されたフォームの物性を、ＪＩＳ  Ｋ  ６４００に基づき測定した。結果を表１に示す。
【００７１】
【表１】
0003613674.tif 000002
【００７２】
第３の発泡体層（第３層）３０は、両面平滑なシート状物で、ここでは厚さ１５ｍｍである。第３層３０は、上記した第１層１０と同じ素材で形成されている。
【００７３】
上記第１層〜第３層は各層毎に形成された後、接着により一体化されている。しかし、例えば第２層と第３層を同一素材で構成する場合、１枚の発泡体から不要部を切除することにより、上記と同様の形状の第２層と第３層が一体となったものを得ることも可能である。また、第３層を省略することも可能であり、その場合、第２層の底部の厚さを第３層の厚さ分（ここでは１５ｍｍ）増加してもよい。
【００７４】
なお、以上ではマットレスの幅が約１２００ｍｍ（セミダブル）の場合について述べたが、これと異なる幅のものは、突部の幅方向の数を増減することにより得られる。例えば、突部１２ａは上記実施例では、幅方向に１５個並んでいるが、幅約１０００ｍｍ（シングル）では１２個、幅約１４００ｍｍ（ダブル）では１８個とすればよい。
【００７５】
【発明の効果】
請求項１に記載のマットレスによれば、使用者の身体にかかる圧力の分散性、通気性等に優れ、長期間寝たきりの使用者でも褥瘡を生じにくい。しかも、屈曲をスムーズに行え、リクライニング機能を有するベ
ッドに好適に用いられる。
【００７６】
請求項２に記載のものは、屈曲性がより向上する。
【００７７】
請求項３に記載のものは、人体の腰部をしっかりと支持し、背骨を自然な形状に保持し、かつ使用者に安定感を与える。
【００７８】
請求項４に記載のものは、耐久性や取り扱い性がより優れる。
【図面の簡単な説明】
【図１】この発明のマットレスの一実施例を示す一部を省略した斜視図である。
【図２】図１のマットレスの平面図である。
【図３】ＩＩ−ＩＩ線におけるマットレスの断面図である。
【図４】Ｉ−Ｉ線におけるマットレスの断面図である。
【図５】図３の部分拡大図である。
【符号の説明】
Ａ  ……マットレス
１０……第１層
２０……第２層
３０……第３層
１１……基板
１２，１２ａ，１２ｂ，１２ｃ，１２ｄ，１２ｅ，１２ｆ，１２ａ’，１２ｃ’，１２ｄ’，１２ｅ’，１２ｆ’……突部
１３，１３ａ，１３ｂ……突条部
２１，２１ａ，２１ｂ，２２，２２ａ，２２ｂ……突条部
２３，２３ａ，２３ｂ……空洞部
２４……切り込み線
【図１】
0003613674.tif 000003
【図２】
0003613674.tif 000004
【図３】
0003613674.tif 000005
【図４】
0003613674.tif 000006
【図５】
0003613674.tif 000007